(57)【要約】    【課題】  付帯設備の施工を容易とすることができる地下中空構造物の壁体部材を提供する。    【解決手段】  プレキャストコンクリート製の壁体部材２を、地中に挿入して地下中空構造物の側版部を形成する。前記体部材２に、上下方向に連続すると共に内面に開口する凹部22を形成する。また、この凹部22が壁体部材２の下端に開口するから、壁体部材２をスムーズに地中に挿入することができる。そして、壁体部材２により構造物の側版部を形成し、その凹部22に付帯設備31を設ける。【選択図】      図１
2005179992.tif 000002
【特許請求の範囲】
【請求項１】
地中に挿入して地下中空構造物の側版部を形成するプレキャストコンクリート製の壁体部材において、前記壁体部材に、上下方向に連続すると共に内面に開口する凹部を形成し、この凹部が前記壁体部材の下端に開口することを特徴とする地下中空構造物の壁体部材。
【請求項２】
前記凹部の壁体部材上部に閉塞部を設けると共に、この閉塞部に前記凹部に連通する上下方向の排土孔を形成したことを請求項１記載の地下中空構造物の壁体部材。
【請求項３】
前記凹部は底部から外側に向って拡大することを特徴とする請求項１記載の地下中空構造物の壁体部材。
【請求項４】
両側に設けた側版部と、これら側版部間に設けられた頂版部と、それら側版部間に設けられた底版部とを備え、前記側版部の少なくとも一部を前記壁体部材で構成し、この壁体部材の前記凹部に付帯設備を設けたことを特徴とする請求項１〜３のいずれか１項に記載の壁体部材を用いた地下中空構造物。
【発明の詳細な説明】
【技術分野】
【０００１】
本発明は、頂版部を設けたボックスカルバートなどの地下中空構造物の壁体部材とこれを用いた地下中空構造物に関する。
【背景技術】
【０００２】
この種の地下中空構造物の施工方法として、両側に地中壁を設け、これら地中壁の間を掘削し、それら地中壁の間に中空構造物を設ける地下中空構造物の施工方法において、前記両側の地中壁をプレキャスト製の頂版部材により連結した後、該頂版部材の下方を掘削し、この掘削した掘削孔に底部を形成し、前記地中壁を構造物の側版部とする施工方法（例えば特許文献１）であり、連続地中壁は、構造物の長さ方向にプレキャストコンクリート版を打ち込んで並べて形成され、そのコンクリート版として、コンクリート矢板（例えば特許文献２）などが知られている。
【０００３】
また、地下中空構造物としては、ボックスカルバート（例えば特許文献３及び特許文献４）が知られてる。
【特許文献１】特開２００１−３９２６８９号公報
【特許文献２】特開平１０−２５２０６６号公報
【特許文献３】特開２００２−３３２６８４号公報
【特許文献４】実開昭５５−８９８８３号公報
【発明の開示】
【発明が解決しようとする課題】
【０００４】
上記のような地下構造物では、側版部の内面に各種の付帯設備が埋め込んで設けられ、その付帯設備として、消火栓ボックス、端子盤、非常電話、誘導表示灯ボックスや一酸化炭素検出装置などが例示される。そして、側版部に凹部を形成し、前記付帯設備を埋め込むものであり、側版部がプレキャストコンクリート製の場合、現場で前記凹部を形成するために、側版部を削るなどの煩雑な作業を必要とした。
【０００５】
そこで、本発明は、付帯設備の施工を容易とすることができる地下中空構造物の壁体部材とこれを用いた地下中空構造物を提供することを目的とする。
【課題を解決するための手段】
【０００６】
請求項１の発明は、地中に挿入して地下中空構造物の側版部を形成するプレキャストコンクリート製の壁体部材において、前記壁体部材に、上下方向に連続すると共に内面に開口する凹部を形成し、この凹部が前記壁体部材の下端に開口するものである。
【０００７】
また、請求項２の発明は、前記凹部の壁体部材上部に閉塞部を設けると共に、この閉塞部に前記凹部に連通する上下方向の排土孔を形成したものである。
【０００８】
また、請求項３の発明は、前記凹部は底部から外側に向って拡大するものである。
【０００９】
また、請求項４の発明は、両側に設けた側版部と、これら側版部間に設けられた頂版部と、それら側版部間に設けられた底版部とを備え、前記側版部の少なくとも一部を前記壁体部材で構成し、この壁体部材の前記凹部に付帯設備を設けたものである。
【発明の効果】
【００１０】
請求項１の発明によれば、凹部の下端が開口しているから、壁体部材をスムーズに地中に挿入することができ、壁体部材により構造物の側版部を形成し、その凹部に付帯設備を設けることができる。
【００１１】
また、請求項２の発明によれば、壁体部材の上部を地中に挿入する際、凹部の土砂が排土孔から排出される。また、壁体部材の上部に閉塞部を設けたから、構造物の頂版部の施工を容易に行うことができる。
【００１２】
また、請求項３の発明によれば、略Ｕ字状の断面形状をなし、この壁体部材を安定して挿入することができ、また、長さ方向に隣合う壁体部材同士の連結面を広く設定することができる。
【００１３】
また、請求項４の発明によれば、付帯設備の施工が容易な地下中空構造物が得られる。
【発明を実施するための最良の形態】
【００１４】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる地下中空構造物の壁体部材とこれを用いた地下中空構造物を採用することにより、従来にない地下中空構造物の壁体部材とこれを用いた地下中空構造物が得られ、その地下中空構造物の壁体部材とこれを用いた地下中空構造物を夫々記述する。
【実施例１】
【００１５】
以下、本発明の実施例を添付図面を参照して説明する。図１〜図８は本発明の第１実施例を示し、同図に示すように、地下中空構造物１は、プレキャストコンクリートの壁体部材２を地中に打ち込みなどにより挿入して両側に連続地中壁３，３を形成した後、これら連続壁３，３の上部を、プレキャストコンクリート製のほぼ平板状の頂版部材４により連結し、地中壁３，３の上部間を頂版部材４により一体に連結し、この例では、その連結後に、頂版部材４の下方の掘削を行う。尚、図７に示すように、頂版部材４の地中壁３への連結作業を容易にするため、地中壁３，３間の上部を掘削しておくことができる。尚、掘削孔５を形成し、底版部６を形成した後、頂版部材４の施工を行うようにしてもよい。
【００１６】
頂版部材４を連結後の掘削においては、頂版部材４が切り梁として作用するため、地中壁３，３に、別途にアンカーや切り梁を設ける必要がなく、また、頂版部材４を隙間なく設ければ、頂版部材４の下方における掘削作業の騒音が外部に漏れることも防止できる。
【００１７】
図８に示すように、頂版部材４の下方で、地中壁３，３の内面が露出するように掘削孔５を形成し、掘削孔５の底面５Ｔを平坦に敷き均す。この後、この例では、現場打ちコンクリートにより、底面３Ｔの上に底版部６を形成する。また、頂版部材４は、構造物１の長さ方向に連続して隙間なく設けられ、その上面に現場打ちコンクリート層７を設け、それら頂版部材４とコンクリート層７の合成梁からなる頂版部８が形成されている。尚、頂版部材４のみで頂版部を構成するようにしてもよい。また、図中、９は底版部６の両側で側版部８の下部側に設けられた溝部であり、この溝部９は構造物１のほぼ長さ方向全長に設けられ、上部には図示しない蓋体９Ａが着脱可能に設けられている。
【００１８】
このようにして、図５に示すように、頂版部８と、連続地中壁３，３からなる側版部３Ａ，３Ａと、底版部６とからなるボックスカルバートの中空構造物１が形成される。
【００１９】
尚、前記底版部６をプレキャストコンクリート製とすることもでき、前記底版部６を接合部材等により両側の地中壁３，３と一体化することが好ましい。また、構造物１の両側の地面Ｇは、図５に示すように、施工後、構造物１の上面と面一に形成する。
【００２０】
上記のようなボックスカルバートにおいて、図１〜図４に示すように、前記壁体部材２は、断面略長方形形状をなし、長さ方向両側に連結面21，21を有し、その壁体部材２は、中空構造物１の内面となる側版面３Ａに凹部22を形成し、この凹部22は上下方向に連続して壁体部材２の下端に開口すると共に、上端は閉塞部23により閉塞している。前記凹部22はその内底面部22Ａの両側に外側に向って間隔が拡大する内側面部22Ｂ，22Ｂを備える。前記閉塞部23の下面部23Ａは、凹部22の内底面部22Ａから外側に向って高くなる傾斜面に形成され、また、前記閉塞部23には上下方向に貫通する排土孔24が形成され、この排土孔24は前記内底面部22Ａと前記内側面部22Ｂの内底面部22Ａ側とに連続している。尚、前記内底面部22Ａの長さは、壁体部材２の長さＬの２分の１以上である。
【００２１】
そして、連続地中壁３の施工においては、油圧作動のコンクリートパイラなどで、コンクリート矢板である壁体部材２を地中に打ち込み、圧入装置である前記コンクリートパイラは、壁体部材２をチャックで挟み、油圧で一定深さ打ち込み、しゃくとり虫式に、チャックで挟む位置を上方に変えて再び打ち込むことを繰り返し、地中に挿入する。あるいは、この挿入にはバイブロハンマなどを用いてもよい。この場合、凹部22を有する壁体部材２を地中に挿入すると、該壁体部材２の凹部22の下端が開口しているから、スムーズに挿入することができ、また、凹部22を伝わる土は排土孔24から上方へ排出されるため、閉塞部23による抵抗が少なくなる。尚、凹部22を有する壁体部材２は、後述する付帯設備を設ける箇所に用い、連続地中壁３の他の部分は凹部のない矩形の壁体部材２Ａを用いる。このようにして複数の壁体部材２を長さ方向に並べると共に、連結面21，21を合わせて連続地中壁３を形成する。尚、連結面21，21間に目地材などを充填して止水する。そして、中空構造物１の内部において、前記凹部22内に付帯設備31を収納配置する。また、付帯設備31を収納配置した後、現場打ちコンクリート32により凹部22を塞ぐ。図１には、付帯設備31として、非常電話ボックスを図示しており、その付帯設備31の前面側を露出し、後部を凹部22内に配置すると共に、現場内コンクリート32により凹部22全体を塞ぐ。また、この際、凹部22に付帯設備31に係る配線などを引き回す。例えば、付帯設備31が消火栓ボックスであれば送水管、端子盤であれば配線など付帯設備31と外部とを接続する接続線を凹部22内に引き回し、送水管及び配線を前記溝部９内に配置する。
【００２２】
このように本実施例では、請求項１に対応して、地中に挿入して地下中空構造物１の側版部３Ａ，３Ａを形成するプレキャストコンクリート製の壁体部材２において、壁体部材２に、上下方向に連続すると共に内面に開口する凹部22を形成し、この凹部22が壁体部材２の下端に開口するから、壁体部材２をスムーズに地中に挿入することができ、壁体部材２により構造物１の側版部３Ａを形成し、その凹部22に付帯設備31を設けることができる。
【００２３】
また、このように請求項２に対応して、凹部22の壁体部材２上部に閉塞部23を設けると共に、この閉塞部23に凹部22に連通する上下方向の排土孔24を形成したから、壁体部材２を地中に挿入する際、凹部22の土砂が排土孔24から排出される。また、壁体部材２の上部に閉塞部23を設けたから、凹部22箇所は平断面積が小さいが、これより閉塞部23の上面の面積が広く、構造物１の頂版部８の施工を容易に行うことができる。
【００２４】
また、このように本実施例では、請求項３に対応して、凹部22は底部たる内底面部22Ａから外側に向って拡大するから、略Ｕ字状の断面形状をなし、壁体部材２を安定して挿入することができ、また、長さ方向に隣合う壁体部材２，２同士の連結面21，21が広くなるので、水密性などを向上できる。
【００２５】
また、このように本実施例では、請求項４に対応して、両側に設けた側版部３Ａ，３Ａと、これら側版部３Ａ，３Ａ間に設けられた頂版部３Ａと、それら側版部３Ａ，３Ａ間に設けられた底版部６とを備え、側版部３Ａの少なくとも一部を壁体部材２で構成し、この壁体部材２の凹部22に付帯設備31を設けたから、付帯設備31の施工が容易な地下中空構造物１が得られる。
【００２６】
また、実施例上の効果として、閉塞部23の下面23Ａは、凹部22の底部たる内底面部22Ａから外側に向って高くなるから、壁体部材２を地中に挿入する際、凹部22の土砂が排土孔24から排出され、残りは外側に向って高くなる下面に案内されるため、スムーズな挿入が可能となる。
【００２７】
また、実施例上の効果として、両側に地中壁３，３を設け、これら地中壁３，３の間を掘削し、それら地中壁３，３の間に中空構造物１を設ける地下中空構造物の施工方法において、両側の地中壁３，３をプレキャスト製の頂版部材４により連結した後、該頂版部材４の下方を掘削し、この掘削した掘削孔５に底部たる底面５Ｔを形成し、地中壁３，３を構造物１の側版部３Ａ，３Ａとするから、両側の地中壁３，３を頂版部材４により連結することにより、頂版部材４が両側の地中壁３，３に対して切り梁の作用をなして背面土圧に対抗し、そのまま頂版部材４の下方を掘削することができる。このようにして地中壁３，３間を掘削し、地中壁３，３を構造物１の側版部３Ａとするため、埋め戻しの必要がなく、地中壁３，３と頂版部材４とを備えた地下中空構造物１が得られ、この地下中空構造物１の幅は、地中壁３，３の間隔に対応するから、施工において用地幅も小さく済む。また、底部が両側の地中壁３，３間に設けられたコンクリート製の底版部６であり、両側の側版部３Ａが底版部６により連結され、地下中空構造物１の強度が向上する。また、頂版部材４と側版部３Ａ，３Ａと底版部６とが一体化されたボックス状の中空構造物１であるボックスカルバートが得られる。
【実施例２】
【００２８】
図９は本発明の第２実施例を示し、上記第１実施例と同一部分に同一符号を付し、その詳細な説明を省略して詳述すると、この例では、側版部３Ａは、前記連続地中壁３とこの連続地中壁３の内面に一体に設けた内側版部33とからなり、この場合も、付帯設備31の後部は凹部22内に位置する。尚、前記内側版部33はプレキャストコンクリート製でも、現場内コンクリートでもよく、あるいは他の部材でもよい。
【実施例３】
【００２９】
図１０は本発明の第３実施例を示し、上記第１実施例と同一部分に同一符号を付し、その詳細な説明を省略して詳述すると、この例の地下中空構造物１Ａは、第１実施例の構造物１より幅広であり、幅方向中央に仕切り壁41が設けらてれおり、このように内部が仕切り壁41により仕切られた中空構造物１Ａにおいても、凹部22を有する壁体部材２を用いることにより、付帯設備31を簡便に設けることができる。
【００３０】
なお、本発明は、前記実施例に限定されるものではなく、種々の変形実施が可能である。例えば、連続地中壁を形成した後、凹部を有する壁体部材を複数並べ、隣合う内側面部22Ｂ，22Ｂ部分を部分的に削るなどして隣合う凹部を連通させ、この部分に付帯設備を設けるようにしてもよい。
【図面の簡単な説明】
【００３１】
【図１】本発明の第１実施例を示す一部を切欠いた壁体部材の斜視図である。
【図２】同上、壁体部材の一部切欠き側面図である。
【図３】同上、図２のＡ−Ａ線断面図である。
【図４】同上、図２のＢ−Ｂ線断面図である。
【図５】同上、地下中空構造物の断面図である。
【図６】同上、両側に壁体部材を挿入した状態の断面図である。
【図７】同上、施工の途中において地中壁を頂版部材により連結した状態の断面図である。
【図８】同上、施工の途中において掘削孔を形成した状態の断面図である。
【図９】本発明の第２実施例を示す地下中空構造物の断面図である。
【図１０】本発明の第３実施例を示す地下中空構造物の断面図である。
【符号の説明】
【００３２】
１  地下中空構造物
２  壁体部材
３  連続地中壁
３Ａ  側版部
６  底版部
８  頂版部
22  凹部
22Ａ  内底面部（底部）
23  閉塞部
24  排土孔
31  付帯設備
【図１】
2005179992.tif 000003
【図２】
2005179992.tif 000004
【図３】
2005179992.tif 000005
【図４】
2005179992.tif 000006
【図５】
2005179992.tif 000007
【図６】
2005179992.tif 000008
【図７】
2005179992.tif 000009
【図８】
2005179992.tif 000010
【図９】
2005179992.tif 000011
【図１０】
2005179992.tif 000012